(57)【要約】【課題】レンズホルダ位置調整用装置の冶具を取り外した際にレンズホルダの回動を防止することができ、垂直方向における冶具の位置調整を容易にすることができる光ピックアップ装置を提供すること。【解決手段】光学ベース３は、レンズホルダ２１を支持するためのレンズホルダ支持部３ａと、レンズホルダ２１の上面を付勢する付勢手段である板バネ３ｄとを有し、レンズホルダ２１は、レンズホルダ支持部３ａにおいてカップリングレンズ２２の光軸方向に沿って移動可能になるようにレンズホルダ位置調整用装置の冶具４が挿入可能な一対の受け孔２１ａを有し、光学ベース３のレンズホルダ支持部３ａは、略Ｖ字型の断面を有する底部３ｂと両側壁３ｃとを有し、レンズホルダ２１は、略Ｖ字型の断面を有する底部３ｂと摺動可能に当接する湾曲面状の底面２１ｅと、レンズホルダ支持部３ａの両側壁３ｃと摺動可能に当接する両側面２１ｄとを有することを特徴とする。【選択図】図３
2008108304.tif 000002
【特許請求の範囲】
【請求項１】
光学ベースと、
前記光学ベースに取付けられ光ビームを照射する光照射器と、
前記光照射器から照射された光ビームを光ディスクに導くと共に前記光ディスクから反射される光ビームを所定方向に導く、複数の光学系部材から構成されている光学系と、
前記複数の光学部品のひとつを保持するレンズホルダと、
前記光ディスクから反射されて前記光学系によって導かれる光ビームを受光する光検出器とを有する光ピックアップ装置であって、
前記光学ベースは、前記レンズホルダを支持するためのレンズホルダ支持部と、前記レンズホルダの上面を付勢する付勢手段とを有し、
前記レンズホルダは、前記レンズホルダ支持部において前記カップリングレンズの光軸方向に沿って移動可能になるようにレンズホルダ位置調整用装置の冶具が挿入可能な一対の受け孔を有し、
前記光学ベースの前記レンズホルダ支持部は、略Ｖ字型の断面を有する底部と両側壁とを有し、
前記レンズホルダは、略Ｖ字型の断面を有する底部と摺動可能に当接する湾曲面状の底面と、前記レンズホルダ支持部の前記両側壁と摺動可能に当接する両側面とを有することを特徴とする光ピックアップ装置。
【請求項２】
前記受け孔の前記底面は、前記光学部品を保持した状態における前記レンズホルダの重心位置の近傍に位置していることを特徴とする請求項１記載の光ピックアップ装置。
【発明の詳細な説明】
【技術分野】
【０００１】
本発明は、光ディスク装置に用いられる光ピックアップ装置に関する。
【背景技術】
【０００２】
周知のように、光ディスク装置に用いられる光ピックアップ装置は、光照射器から出射されたレーザ光を対物レンズによって光ディスクの信号記録面に集光し、その信号記録面からの反射光を光検出器により検出する装置である。このような光ディスク装置において、ＣＤやＤＶＤ等の異なる規格の光ディスクの情報を読み出すことができるように２以上の光照射器を有する光ピックアップ装置が用いられている。
【０００３】
例えば、ＣＤとＤＶＤの両規格の光ディスクに対応する光ピックアップ装置の光学系は、一般的にＤＶＤ規格の光ディスクに対応するレーザー光のスポットサイズに合わせて設計されている。そしてＣＤ規格の光ディスクへ対応するためにＣＤ規格の光ディスク用の光照射器の照射側に配置したカップリングレンズにより信号記録面におけるレーザ光の焦点調整が行われている。このスポットサイズの調整はレーザ光の進行方向に沿ってカップリングレンズを移動させることにより行う。即ち、光照射器に対してカップリングレンズを近づけたり離したりするように移動して適正なスポットサイズに調整する。
【０００４】
このようなカップリングレンズは一般的にレンズホルダに収容されており、このレンズホルダをマイクロメータとマイクロメータに取付けた冶具とから構成されているレンズホルダ位置調整用装置を用いてレーザ光の進行方向に沿って移動させ、上記のカップリングレンズによる焦点調整を行う。特許文献１は、図７及び図８に示すように、レンズの移動調整に際しレンズホルダの傾斜を防止するためのレンズホルダの位置調整方法を開示している。コリメータレンズ２０を収容しているレンズホルダ２００はＶ字型のベース１００に取り付けられており、このレンズホルダ２００は板バネ１０４によってＶ字型の両傾斜面１０２に付勢されている。
【０００５】
このレンズホルダ２００の両側にはすり割部２０４が形成されており、移動調整に用いるレンズホルダ位置調整用装置３００の冶具３１０はその先端に形成されている突出部３１４、３１６によって当該すり割部２０４と係合する。この突出部３１４、３１６は左右前後に配設されているため計４個の突出部が存在する。移動調整の際には、冶具３１０をすり割部２０４に当接させ、レンズホルダ２００の重心Ｐを通る水平面Ａにおいて、レンズホルダ２００を水平方向（図８における左右方向）に移動して調整を行う。このレンズホルダ２００の水平方向の移動調整は、レンズホルダ位置調整用装置３００の水平方向スライダ部３２０をスライドさせて行う。また、レンズホルダ位置調整用装置３００は、レンズホルダ２００に対する突出部３１４、３１６の位置調整のために、冶具３１０の垂直方向（図８における上下方向）を調整するための垂直方向スライダ部３３０を有している。
【０００６】
【特許文献１】特開平１１−２８８５２４号公報
【発明の開示】
【発明が解決しようとする課題】
【０００７】
上記のようなレンズホルダの位置調整においては、レンズホルダ２００の位置調整終了後、レンズホルダ位置調整用装置３００の冶具３１０をすり割部２０４から上方へ引き上げるようにして取り外す。この際、冶具３１０の計４個の突出部３１４、３１６のいずれかがすり割部２０４の表面に接触していると、上方へ引き上げられる冶具３１０の移動に伴ってレンズホルダ２００がコリメータレンズ２０１の光軸を中心としてずれるように回動してしまうという問題点がある。
【０００８】
さらに、上記のようなレンズホルダの位置調整においては、レンズホルダ位置調整用装置３００の垂直方向スライダ部３３０により、レンズホルダ２００に対する突出部３１４、３１６の位置調整を行う必要があるという問題点がある。
【０００９】
本発明は、レンズホルダ位置調整用装置の冶具を取り外した際にレンズホルダの回動を防止することができ、垂直方向における冶具の位置調整を容易にすることができる光ピックアップ装置を提供することを目的とする。
【課題を解決するための手段】
【００１０】
本発明に係る光ピックアップ装置は、光学ベースと、前記光学ベースに取付けられ光ビームを照射する光照射器と、前記光照射器から照射された光ビームを光ディスクに導くと共に、前記光ディスクから反射される光ビームを所定方向に導く複数の光学系部材から構成されている光学系と、前記複数の光学部品のひとつを保持するレンズホルダと、前記光ディスクから反射されて前記光学系によって導かれる光ビームを受光する光検出器とを有する光ピックアップ装置であって、前記光学ベースは、前記レンズホルダを支持するためのレンズホルダ支持部と、前記レンズホルダの上面を付勢する付勢手段とを有し、前記レンズホルダは、前記レンズホルダ支持部において前記カップリングレンズの光軸方向に沿って移動可能になるようにレンズホルダ位置調整用装置の冶具が挿入可能な一対の受け孔を有し、前記光学ベースの前記レンズホルダ支持部は、略Ｖ字型の断面を有する底部と両側壁とを有し、前記レンズホルダは、略Ｖ字型の断面を有する底部と摺動可能に当接する湾曲面状の底面と、前記レンズホルダ支持部の前記両側壁と摺動可能に当接する両側面とを有することを特徴とする。
【００１１】
さらに、本発明に係る光ピックアップ装置は、前記受け孔の前記底面が、前記光学部品を保持した状態における前記レンズホルダの重心位置の近傍に位置していることが好ましい。
【発明の効果】
【００１２】
請求項１記載の本発明によれば、光学ベースのレンズホルダ支持部が、略Ｖ字型の断面を有する底部と両側壁とを有し、レンズホルダは、略Ｖ字型の断面を有する底部と摺動可能に当接する湾曲面状の底面と、レンズホルダ支持部の両側壁と摺動可能に当接する両側面とを有している。光照射器の光ビームの焦点調整を行う際にカップリングレンズの光軸方向に沿ってレンズホルダを移動させると、レンズホルダの両側面がレンズホルダ支持部の両側壁に摺動可能に当接しているため、レンズホルダがカップリングレンズの光軸を中心としてずれるように回動することを防止することができる。このようなレンズホルダのずれるような回動は、従来、レンズホルダの位置調整作業の際に、レンズホルダ位置調整用装置の冶具を引き上げる際に発生する。しかし、本発明においては、レンズホルダの両側面がレンズホルダ支持部の両側壁に摺動可能に当接することによりレンズホルダの上記のような回動が規制されるためこのような問題は発生しない。
【００１３】
さらに、請求項２記載の本発明によれば、受け孔の底面が、光学部品を保持した状態におけるレンズホルダの重心位置の近傍に位置している。このため、レンズホルダがレンズホルダ支持部内において移動方向において傾斜することなく、レンズホルダ位置調整用装置によりレンズホルダの位置調整を行うことができる。
【発明を実施するための最良の形態】
【００１４】
以下、図１ないし図６を参照しつつ本発明の実施形態について詳細に説明する。本実施形態の光ピックアップ装置１は、光学ベース３と、光学ベース３に取付けられ光ビームを照射する光照射器５と、光照射器５から照射された光ビームを光ディスクに導くと共に、光ディスクから反射される光ビームを所定方向に導く複数の光学系部材から構成されている光学系と、前記光学系の一部であり、光照射器５の光ビームの焦点調整を行うためのカップリングレンズ２２及びカップリングレンズ２２を保持するレンズホルダ２１と、光ディスクから反射されて光学系によって導かれる光ビームを受光する光検出器１６とを有する光ピックアップ装置であって、光学ベース３は、レンズホルダ２１を支持するためのレンズホルダ支持部３ａと、レンズホルダ２１の上面を付勢する付勢手段である板バネ３ｄとを有し、レンズホルダ２１は、レンズホルダ支持部３ａにおいてカップリングレンズ２２の光軸方向に沿って移動可能になるようにレンズホルダ位置調整用装置の冶具４が挿入可能な一対の受け孔２１ａを有し、光学ベース３のレンズホルダ支持部３ａは、略Ｖ字型の断面を有する底部３ｂと両側壁３ｃとを有し、レンズホルダ２１は、略Ｖ字型の断面を有する底部３ｂと摺動可能に当接する湾曲面状の底面２１ｅと、レンズホルダ支持部３ａの両側壁３ｃと摺動可能に当接する両側面２１ｄとを有することを特徴とする。
【００１５】
光ピックアップ装置１は、ＣＤとＤＶＤの両規格の光ディスクの情報の読み出し及び書き込みが可能な光ピックアップ装置である。図１は、光ピックアップ装置１の光学系を示す説明図である。なお、この図１において、光学ベース３を図面に表示すると各光学系部材間の位置的な関連性が不明確になるため光学ベース３は省略されている。
【００１６】
この光ピックアップ装置１は、ＣＤ用の光照射器５とＤＶＤ用の光照射器６とを有している。これら光照射器５、６から照射された光ビームを光ディスク（図示せず）に導くと共に、光ディスクから反射される光ビームを所定方向に導く複数の光学系部材から構成されている光学系は、ＣＤ用の光照射器５の出射側に配設されている回折格子５ａ及びカップリングレンズ部２と、ＤＶＤ用の光照射器６の出射側に配設されている回折格子６ａと、偏光ビームスプリッタ８と、ハーフミラー９と、コリメータレンズ１０と、立上げミラー１１と、１／４波長板１２と、対物レンズ１３と、センサレンズ１５と、光検出器１６とから構成されている。なお、符号１４によって示す部材は光量検出器である。光照射器５、６とこれらの光学系部材は光学ベース３に装着されている。
【００１７】
上記の光学系部材は、ＣＤとＤＶＤの両規格の光ディスクに対応できるようにＤＶＤ規格の光ディスクに対応するレーザー光のスポットサイズに合わせて設計されており、その一方、ＣＤへ対応するためにＣＤ用の光照射器５の照射側に配置したカップリングレンズ部２により光ディスクの信号記録面におけるレーザ光の焦点調整が行われている。このスポットサイズの調整はレーザ光の進行方向に沿ってカップリングレンズ部２を移動させることにより行う。即ち、レンズホルダ位置調整用装置を使用してＣＤ用の光照射器５に対してカップリングレンズ部２を近づけたり離したりするように移動することにより適正なスポットサイズに調整する。
【００１８】
図２及び図３に示すように、カップリングレンズ部２は、合成樹脂製のレンズホルダ２１と、レンズホルダ２１の略中央に保持されているカップリングレンズ２２とを有している。このレンズホルダ２１は、レンズホルダ２１の両側方にそれぞれ側面２１ｄを有し、またレンズホルダ２１の下方に湾曲面状の底面２１ｅを有している。一方、図３に示すように、光学ベース３は、カップリングレンズ部２を支持するためのレンズホルダ支持部３ａを有している。このレンズホルダ支持部３ａは断面が略Ｖ字型である底部３ｂと両側壁３ｃとを有している。そして、図３に示すように、レンズホルダ２１の湾曲面状の底面２１ｅは略Ｖ字型の断面形状を有する底部３ｂと摺動可能に当接し、また両側面２１ｄはレンズホルダ支持部３ａの両側壁３ｃと摺動可能に当接している。
【００１９】
図３及び図４に示すように、カップリングレンズ部２のレンズホルダ２１は、その上面に湾曲面状の上面２１ｆを有し、この上面２１ｆは２枚の板バネ３ｄにより下方へ付勢されている。この板バネ３ｄによって、カップリングレンズ部２が光学ベース３のレンズホルダ支持部３ａ内に摺動可能に支持されている。
【００２０】
次に、図５及び図６を参照しつつ、カップリングレンズ部２のレンズホルダ２１の位置調整について説明する。このレンズホルダ２１の位置調整は、レンズホルダ２１を光学ベース３のレンズホルダ支持部３ａ内において、カップリングレンズ２２の光軸方向に沿って摺動させることにより行う。即ち、ＣＤ用の光照射器５に対してカップリングレンズ部２を近づけたり離したりするように移動させることにより、この位置調整を行う。
【００２１】
符号４により示されている逆Ｕ字型の部材はレンズホルダ２１の上記位置調整を行うためのレンズホルダ位置調整装置（図示せず）に用いる冶具である。この冶具４は、左右一対の角柱状の挿入片４ａを有しており、この挿入片４ａはそれぞれ底面４ｂを有している。一方、カップリングレンズ部２のレンズホルダ２１には、冶具４の挿入片４ａのそれぞれを挿入可能な大きさの一対の角筒状の受け孔２１ａを有している。この２つの受け孔２１ａはそれぞれレンズホルダ２１の上面の両側部に開口しており、レンズホルダ２１に装着されているカップリングレンズ２２を中心にして互いに対称になる位置に形成されている。これら受け孔２１ａはそれぞれ底面２１ｇを有し、またこの底面２１ｇの近傍における受け孔２１ａの大きさと形状は、挿入片４ａがぴったり挿入できる大きさと形状を有している。これら受け孔２１ａの開口部近傍は受け孔２１ａ内への挿入片４ａの挿入作業を容易にするために、開口部に向かって徐々に広がっている。一方、底面２１ｇの近傍においてこれら受け孔２１ａの大きさは、受け孔２１ａ内への挿入片４ａが挿脱自在になるように、挿入片４ａの底面４ｂ近傍の大きさよりも若干大きく形成されている。
【００２２】
さらに、これら受け孔２１ａのそれぞれの底面２１ｇは、カップリングレンズ部２を保持した状態におけるレンズホルダ２１の重心位置の近傍に位置している。
【００２３】
このレンズホルダ部２の上記位置調整作業を行う際には、最初にレンズホルダ２１の受け孔２１ａ内にレンズホルダ位置調整装置の冶具４の挿入片４ａを挿入する。この挿入片４ａは、挿入片４ａの底面４ｂが受け孔２１ａの底面２１ｇに当接しないぎりぎりの位置まで挿入する。次に、レンズホルダ位置調整装置を操作し、カップリングレンズ部２をカップリングレンズ２２の光軸方向に沿って移動させ信号記録面におけるレーザ光の焦点調整を完了する。最後に、冶具４の挿入片４ａをレンズホルダ２１の受け孔２１ａから上方へ引き上げるように抜脱し上記位置調整作業を終了する。
【００２４】
以下、本実施形態の作用効果を説明する。
本実施形態の光ピックアップ装置１は、光学ベース３のレンズホルダ支持部３ａが、略Ｖ字型の断面を有する底部３ｂと両側壁３ｃとを有し、レンズホルダ２１は、略Ｖ字型の断面を有する底部３ｂと摺動可能に当接する湾曲面状の底面２１ｅと、レンズホルダ支持部３ａの両側壁３ｃと摺動可能に当接する両側面２１ｄとを有している。光照射器５の光ビームの焦点調整を行う際にカップリングレンズ２２の光軸方向に沿ってレンズホルダ２１を移動させると、レンズホルダ２１の両側面２１ｄがレンズホルダ支持部３ａの両側壁３ｃに摺動可能に当接しているため、レンズホルダ２１がカップリングレンズ２２の光軸を中心としてずれるように回動することを防止することができる。このようなレンズホルダのずれるような回動は、従来、レンズホルダの位置調整作業の際に、レンズホルダ位置調整用装置の冶具を引き上げる際に発生する。しかし、本実施形態においては、レンズホルダ２１の両側面２１ｄがレンズホルダ支持部３ａの両側壁３ｃに摺動可能に当接することによりレンズホルダ２１の上記のような回動が規制されるためこのような問題は発生しない。
【００２５】
さらに、本実施形態の光ピックアップ装置１は、受け孔２１ａの底面２１ｇが、カップリングレンズ２２を保持した状態におけるレンズホルダ２１の重心位置の近傍に位置している。このため、レンズホルダ２１がレンズホルダ支持部３ａ内において移動方向において傾斜することなく、レンズホルダ位置調整用装置によりレンズホルダ２１の位置調整を行うことができる。
【００２６】
以上、本発明ついて一実施の形態に即して説明してきたが、本発明は上記実施の形態に限定されるものではない。例えば、上述した実施の形態では、ＤＶＤ、ＣＤを使用した光ピックアップ場合を例に挙げて説明しているが、青色レーザビーム対応の光ディスクとしてＨＤ−ＤＶＤ、Ｂｌｕ−ｒａｙディスクを用いた光ピックアップにて適用されることは勿論である。また、上述した実施の形態では、カップリングレンズを保持するレンズホルダを例に挙げて挙げて説明したが、それに限定されず、種々の光学部品にも適用可能なのはいうまでもない。
【図面の簡単な説明】
【００２７】
【図１】本発明の実施形態に係る光ピックアップ装置１の光学系部材の配置状態を示す部分斜視図である。なお、図面が不明確になるため光学ベース３は省略されている。
【図２】図１に示す光ピックアップ装置１のレンズホルダ２１の拡大斜視図である。
【図３】図１に示す光ピックアップ装置１の光学ベース３にカップリングレンズ部２を取り付けた状態を示す部分拡大断面図である。
【図４】図１に示す光ピックアップ装置１の光学ベース３にカップリングレンズ部２を取り付けた状態を示す部分拡大斜視図である。
【図５】図１に示す光ピックアップ装置１のレンズホルダ２１と挿入片４ａとの位置関係を示す部分拡大図である。
【図６】図１に示す光ピックアップ装置１のレンズホルダ２１の受け孔２１ａ内へ挿入片４ａを挿入した状態を示す部分斜視図である。
【図７】従来の光ピックアップ装置におけるベース１００、レンズホルダ２００、及び冶具３１０との位置関係を示す断面説明図である。
【図８】図７に示す光ピックアップ装置におけるベース１００、レンズホルダ２００、及びレンズホルダ位置調整用装置３００の位置関係を示す側面説明図である。
【符号の説明】
【００２８】
１  光ピックアップ装置
２  カップリングレンズ部
２０  コリメータレンズ
２１、２００  レンズホルダ
２１ａ  受け孔
２１ｄ  側面
２１ｅ  底面
２１ｆ  上面
２１ｇ  底面
２２  カップリングレンズ
３  光学ベース
３ａ  レンズホルダ支持部
３ｂ  底部
３ｃ  側壁
３ｄ、１０４  板バネ
４、３１０  冶具
４ａ  挿入片
４ｂ  底面
５、６  光照射器
５ａ、６ａ  回折格子
８  偏光ビームスプリッタ
９  ハーフミラー
１０、２０１  コリメータレンズ
１１  立上げミラー
１２  １／４波長板
１３  対物レンズ
１４  光量検出器
１５  センサレンズ
１６  光検出器
１００  ベース
１０２  傾斜面
２０４  すり割部
３００  レンズホルダ位置調整用装置
３１４、３１６  突出部
３２０  水平方向スライダ部
３３０  垂直方向スライダ部
Ｐ  重心
Ａ  水平面
【図１】
2008108304.tif 000003
【図２】
2008108304.tif 000004
【図３】
2008108304.tif 000005
【図４】
2008108304.tif 000006
【図５】
2008108304.tif 000007
【図６】
2008108304.tif 000008
【図７】
2008108304.tif 000009
【図８】
2008108304.tif 000010